(57)【要約】      （修正有）【課題】光ファイバからの照射光を容易且つ確実に遮断して、安全性を高めると共に、製造コスト及び導入コストを低減した光コネクタプラグ及び光コネクタを提供する。【解決手段】プラグハウジング２０のプラグフレーム保持孔２１内に傾斜自在に保持されると共に遮蔽位置から非遮蔽位置まで先端部が移動する遮蔽板７０と、プラグフレーム保持孔内に傾斜自在に保持されると共に遮蔽板と共に傾斜する動作板８０とを具備し、遮蔽板が遮蔽位置に移動した際にプラグフレーム３０を遮蔽板及び動作板が干渉しない収納位置まで後退可能とし、プラグフレームが収納位置に移動した際に、遮蔽板が遮蔽位置となるように遮蔽板及び動作板を位置決め付勢する付勢保持手段９０を設けた構成とする。【選択図】図２
2005189840.tif 000002
【特許請求の範囲】
【請求項１】
少なくとも光ファイバを保持したフェルールを保持するプラグフレームと、プラグフレームが軸方向に移動自在に保持される軸方向に貫通したプラグフレーム保持孔を有するプラグハウジングとを具備するプッシュプル締結方式の光コネクタプラグであって、
基端部を介して前記プラグハウジングのプラグフレーム保持孔の一方側に傾斜自在に保持されると共に前記フェルールの先端面を遮蔽する遮蔽位置から前記プラグフレームの移動を許容する非遮蔽位置まで先端部が移動する遮蔽板と、前記プラグフレーム保持孔内の前記遮蔽板の内側の前記一方側に基端部が傾斜自在に保持されると共に先端部側で前記遮蔽板に当接又は係合して当該遮蔽板と共に傾斜する動作板とを具備し、且つ前記遮蔽板が前記遮蔽位置に移動した際に前記プラグフレームを前記遮蔽板及び前記動作板が干渉しない収納位置まで後退可能とし、前記プラグフレームが前記収納位置に移動した際に、前記遮蔽板が前記遮蔽位置となるように前記遮蔽板及び前記動作板を位置決め付勢する付勢保持手段を設ける一方、前記プラグフレームを前記プラグハウジングの先端部側に移動させた際に、当該プラグフレームの移動により傾斜される当該動作板を介して前記遮蔽板が前記非遮蔽位置まで傾斜して当該プラグハウジングの光接続位置までの移動を許容するようにし、
前記プラグフレームの外周には、光コネクタアダプタの係合爪に係合する係合部が設けられていると共に、前記プラグハウジングの先端部には、前記係合爪に当接する当接部が設けられており、前記プラグフレームが前記収納位置に位置した状態で、前記係合爪が前記当接部に当接すると共に、前記プラグフレームが前記光接続位置に移動した際に、前記プラグフレームの先端に設けられた押圧部が前記係合爪を押し広げて、前記係合爪と前記当接部との当接状態を解除して、前記係合爪と前記係合部とを係合させることを特徴とする光コネクタプラグ。
【請求項２】
請求項１において、前記遮蔽板及び前記動作板は、当該遮蔽板の先端部が前記プラグフレーム保持孔の前記基端部が保持された一方側とは反対の他方側の面に当接することにより、前記遮蔽位置に位置決めされていることを特徴とする光コネクタプラグ。
【請求項３】
請求項１において、前記遮蔽板及び前記動作板は、当該遮蔽板を前記遮蔽位置で前記動作板との係合により当該遮蔽位置に位置決め保持されていることを特徴とする光コネクタプラグ。
【請求項４】
請求項１〜３の何れかにおいて、前記動作板の先端部が前記遮蔽板に当接しており、前記付勢保持手段が、前記動作板を前記遮蔽位置から前記非遮蔽位置となる方向に付勢する動作板付勢手段と、前記遮蔽板を前記非遮蔽位置から前記遮蔽位置となる方向に前記動作板付勢手段よりも大きな付勢力で付勢する遮蔽板付勢手段とで構成されていることを特徴とする光コネクタプラグ。
【請求項５】
請求項３において、前記動作板の先端部側が前記遮蔽板に係合しており、前記付勢保持手段が、前記遮蔽板又は前記動作板を前記非遮蔽位置から前記遮蔽位置となる方向に付勢するものであることを特徴とする光コネクタプラグ。
【請求項６】
請求項１〜５の何れかにおいて、前記遮蔽板及び前記動作板が、前記プラグハウジングに保持されていることを特徴とする光コネクタプラグ。
【請求項７】
請求項１〜５の何れかにおいて、前記遮蔽板及び前記動作板が、遮蔽板枠に保持されて遮蔽板組立体となっていると共に、前記遮蔽板組立体が、前記プラグハウジングに固定されていることを特徴とする光コネクタプラグ。
【請求項８】
請求項１〜７の何れかにおいて、前記遮蔽板が基端部側に設けられた遮蔽板軸を介して回転自在に保持されており、前記動作板が基端部側に設けられた動作板軸を介して回転自在に保持されていることを特徴とする光コネクタプラグ。
【請求項９】
請求項１〜７の何れかにおいて、前記遮蔽板及び前記動作板が板ばねからなると共に、前記遮蔽板及び前記動作板はそれ自体が前記付勢保持手段となっていることを特徴とする光コネクタプラグ。
【請求項１０】
請求項１〜９の何れかにおいて、前記プラグハウジングがＳＣ型又はＭＵ型光コネクタアダプタに係合される形状を有することを特徴とする光コネクタプラグ。
【請求項１１】
請求項１〜１０の何れかにおいて、前記遮蔽板及び前記動作板は、前記非遮蔽位置から前記遮蔽位置まで移動した際に、前記フェルールの先端面に当接しないように設けられていることを特徴とする光コネクタプラグ。
【請求項１２】
請求項１〜１１の何れかにおいて、前記動作板の先端部には、当接凹部が設けられていると共に、前記プラグフレームが前記収容位置に位置し且つ前記動作板が前記フェルール側に移動した際に、前記当接凹部が前記フェルールの側面に当接する位置に配置されていることを特徴とする光コネクタプラグ。
【請求項１３】
請求項１〜１２の何れかの光コネクタプラグを具備することを特徴とする光コネクタ。
【発明の詳細な説明】
【技術分野】
【０００１】
本発明は、光ファイバの先端を保持し、光ファイバ同士を光接続させる光コネクタプラグ及び光コネクタに関する。
【背景技術】
【０００２】
従来、光通信等に用いられる光ファイバ同士の光接続は、光ファイバの先端を保持した光コネクタプラグと、光コネクタプラグ同士を固定して光ファイバの光接続を行う光コネクタアダプタとを有する光コネクタを用いた方法や、光ファイバの先端面同士を融着させる方法により行われていた。
【０００３】
融着による光ファイバ同士の光接続では、光ファイバの光接続の着脱が行えないという問題や、融着工程が煩雑であるという問題から使用に制限があるという問題がある。
【０００４】
このため、光ファイバを保持する外径が、２．５ｍｍのフェルール用筒状体を用いて光接続を行うＳＣ型光コネクタや、光ファイバを保持する外径が、１．２５ｍｍのフェルール用筒状体を用いた比較的小型化されたＭＵ型光コネクタなどを用いることで、光ファイバの融着工程を不要として、光ファイバの光接続の着脱を容易に行っている。
【０００５】
また、近年、電話局から各家庭までの加入者線を結ぶアクセス網を光ファイバ化し、高速な通信環境を構築するFiber To The Home（ＦＴＴＨ）が普及されている。そして、光ファイバ通信には、一般的に波長１．３〜１．５５μｍの赤外線が使われているが、その出力は増加する傾向にある。
【０００６】
また、光コネクタプラグの外周に先端面を覆うように稼動するカバーを設け、カバーによって光コネクタプラグの先端面を覆って、光ファイバの先端面を塵、指紋及び水しぶき等の汚染物から保護したものが提案されている（例えば、特許文献１及び２参照）。
【０００７】
しかしながら、従来のＳＣ型、ＭＵ型等の光コネクタプラグでは、保持した光ファイバの先端面から光が照射されてしまうため、この照射光が人体、特に目などの局部に一定時間当たると、人体に悪影響を与えてしまう虞があるという問題がある。
【０００８】
特に、ＦＴＴＨなどの普及により家庭内に引き込まれる光ファイバの先端を保持した光コネクタプラグには、高い安全性が求められるが、ＦＴＴＨで使用される一般的なＳＣ型、ＭＵ型等の光コネクタプラグには、照射光を防止する対策が成されておらず、危険性が高いという問題がある。
【０００９】
また、光通信が高出力化されるほど、光ファイバの先端からの照射光が人体に悪影響を及ぼす危険性が高まるという問題がある。
【００１０】
さらに、上述した特許文献１及び２には、光ファイバの先端面を汚染物から保護するためにカバーを設けた光コネクタプラグが開示されているが、このカバーによって光ファイバの先端から照射される照射光も遮蔽することができる。しかしながら、このようなカバーを設けた光コネクタプラグは、カバーが光コネクタプラグの外周面に設けられて稼働するようになっており、光コネクタプラグの外形形状が従来とは異なってしまう。また、光コネクタプラグ同士を対向接続させる光コネクタアダプタにおいても、カバーが設けられた光コネクタプラグの形状に合わせて従来とは異なる形状で形成しなくてはならず、製造コストが高価となってしまうという問題がある。
【００１１】
また、カバーが設けられた光コネクタは、従来のＳＣ型、ＭＵ型等の光コネクタとは異なる新たな規格としなくてはならず、従来のＳＣ型、ＭＵ型等の光コネクタとは互換性がなく、このような新たな規格のカバー付き光コネクタをＳＣ型やＭＵ型の光コネクタを用いた既存の設備に適用する場合、既存の設備を全て交換しなくてはならず、高コストになってしまうという問題がある。
【００１２】
【特許文献１】特開平７−２８１０５５号公報（第４〜６頁、第１、７及び８図）
【特許文献２】特開２００２−１５６５５７号公報（第４〜６頁、第１、７及び８図）
【発明の開示】
【発明が解決しようとする課題】
【００１３】
本発明はこのような事情に鑑み、光ファイバからの照射光を容易に且つ確実に遮断して、安全性を高めると共に、製造コスト及び導入コストを低減した光コネクタプラグ及び光コネクタを提供することを課題とする。
【課題を解決するための手段】
【００１４】
上記課題を解決する本発明の第１の態様は、少なくとも光ファイバを保持したフェルールを保持するプラグフレームと、プラグフレームが軸方向に移動自在に保持される軸方向に貫通したプラグフレーム保持孔を有するプラグハウジングとを具備するプッシュプル締結方式の光コネクタプラグであって、基端部を介して前記プラグハウジングのプラグフレーム保持孔の一方側に傾斜自在に保持されると共に前記フェルールの先端面を遮蔽する遮蔽位置から前記プラグフレームの移動を許容する非遮蔽位置まで先端部が移動する遮蔽板と、前記プラグフレーム保持孔内の前記遮蔽板の内側の前記一方側に基端部が傾斜自在に保持されると共に先端部側で前記遮蔽板に当接又は係合して当該遮蔽板と共に傾斜する動作板とを具備し、且つ前記遮蔽板が前記遮蔽位置に移動した際に前記プラグフレームを前記遮蔽板及び前記動作板が干渉しない収納位置まで後退可能とし、前記プラグフレームが前記収納位置に移動した際に、前記遮蔽板が前記遮蔽位置となるように前記遮蔽板及び前記動作板を位置決め付勢する付勢保持手段を設ける一方、前記プラグフレームを前記プラグハウジングの先端部側に移動させた際に、当該プラグフレームの移動により傾斜される当該動作板を介して前記遮蔽板が前記非遮蔽位置まで傾斜して当該プラグハウジングの光接続位置までの移動を許容するようにし、前記プラグフレームの外周には、光コネクタアダプタの係合爪に係合する係合部が設けられていると共に、前記プラグハウジングの先端部には、前記係合爪に当接する当接部が設けられており、前記プラグフレームが前記収納位置に位置した状態で、前記係合爪が前記当接部に当接すると共に、前記プラグフレームが前記光接続位置に移動した際に、前記プラグフレームの先端に設けられた押圧部が前記係合爪を押し広げて、前記係合爪と前記当接部との当接状態を解除して、前記係合爪と前記係合部とを係合させることを特徴とする光コネクタプラグにある。
【００１５】
本発明の第２の態様は、第１の態様において、前記遮蔽板及び前記動作板は、当該遮蔽板の先端部が前記プラグフレーム保持孔の前記基端部が保持された一方側とは反対の他方側の面に当接することにより、前記遮蔽位置に位置決めされていることを特徴とする光コネクタプラグにある。
【００１６】
本発明の第３の態様は、第１の態様において、前記遮蔽板及び前記動作板は、当該遮蔽板を前記遮蔽位置で前記動作板との係合により当該遮蔽位置に位置決め保持されていることを特徴とする光コネクタプラグにある。
【００１７】
本発明の第４の態様は、第１〜３の何れかの態様において、前記動作板の先端部が前記遮蔽板に当接しており、前記付勢保持手段が、前記動作板を前記遮蔽位置から前記非遮蔽位置となる方向に付勢する動作板付勢手段と、前記遮蔽板を前記非遮蔽位置から前記遮蔽位置となる方向に前記動作板付勢手段よりも大きな付勢力で付勢する遮蔽板付勢手段とで構成されていることを特徴とする光コネクタプラグにある。
【００１８】
本発明の第５の態様は、第３の態様において、前記動作板の先端部側が前記遮蔽板に係合しており、前記付勢保持手段が、前記遮蔽板又は前記動作板を前記非遮蔽位置から前記遮蔽位置となる方向に付勢するものであることを特徴とする光コネクタプラグにある。
【００１９】
本発明の第６の態様は、第１〜５の何れかの態様において、前記遮蔽板及び前記動作板が、前記プラグハウジングに保持されていることを特徴とする光コネクタプラグにある。
【００２０】
本発明の第７の態様は、第１〜５の何れかの態様において、前記遮蔽板及び前記動作板が、遮蔽板枠に保持されて遮蔽板組立体となっていると共に、前記遮蔽板組立体が、前記プラグハウジングに固定されていることを特徴とする光コネクタプラグにある。
【００２１】
本発明の第８の態様は、第１〜７の何れかの態様において、前記遮蔽板が基端部側に設けられた遮蔽板軸を介して回転自在に保持されており、前記動作板が基端部側に設けられた動作板軸を介して回転自在に保持されていることを特徴とする光コネクタプラグにある。
【００２２】
本発明の第９の態様は、第１〜７の何れかの態様において、前記遮蔽板及び前記動作板が板ばねからなると共に、前記遮蔽板及び前記動作板はそれ自体が前記付勢保持手段となっていることを特徴とする光コネクタプラグにある。
【００２３】
本発明の第１０の態様は、第１〜９の何れかの態様において、前記プラグハウジングがＳＣ型又はＭＵ型光コネクタアダプタに係合される形状を有することを特徴とする光コネクタプラグにある。
【００２４】
本発明の第１１の態様は、第１〜１０の何れかの態様において、前記遮蔽板及び前記動作板は、前記非遮蔽位置から前記遮蔽位置まで移動した際に、前記フェルールの先端面に当接しないように設けられていることを特徴とする光コネクタプラグにある。
【００２５】
本発明の第１２の態様は、第１〜１１の何れかの態様において、前記動作板の先端部には、当接凹部が設けられていると共に、前記プラグフレームが前記収納位置に位置し且つ前記動作板が前記フェルール側に移動した際に、前記当接凹部が前記フェルールの側面に当接する位置に配置されていることを特徴とする光コネクタプラグにある。
【００２６】
本発明の第１３の態様は、第１〜１２の何れかの態様の光コネクタプラグを具備することを特徴とする光コネクタにある。
【発明の効果】
【００２７】
本発明によれば、プラグフレームがプラグハウジング内を移動するだけで、遮蔽板がフェルールの先端面を遮蔽する遮蔽位置に傾斜させて、フェルールの先端面を遮蔽して、光コネクタプラグの先端から光が照射するのを容易に且つ確実に遮断することができ、光コネクタプラグの安全性を高めることができる。また、プラグフレームがプラグハウジング内を移動するだけで、遮蔽板が非遮蔽位置に傾斜し、遮蔽板は、非遮蔽位置でプラグフレームがプラグハウジングの光接続位置への移動を許容するため、光コネクタプラグの照射光の遮蔽を容易に且つ確実に解除して光接続を行うことができる。また、遮蔽板及び動作板は、プラグハウジング保持孔内に設けられているため、光コネクタプラグの外形形状を従来のＳＣ型又はＭＵ型の光コネクタプラグと同等の形状とすることができる。このため、光コネクタプラグを従来のＳＣ型又はＭＵ型の光コネクタアダプタに接続することができ、製造コスト及び導入コストを低減することができる。さらに、本発明の光コネクタプラグを光コネクタアダプタに接続するとき、光コネクタアダプタの係合爪と光コネクタプラグとが係合する前に、プラグフレームが光接続位置に移動して、遮蔽板を非遮蔽位置に移動させているため、遮蔽板が非遮蔽位置に移動する際に光コネクタアダプタの部材と当接するのを防止して、遮蔽板の変形や破壊が生じるのを防止することができる。
【発明を実施するための最良の形態】
【００２８】
以下に本発明を実施形態に基づいて詳細に説明する。
【００２９】
（実施形態１）
図１は、実施形態１に係る本発明の光コネクタプラグの斜視図及び分解斜視図であり、図２は、平面図とそのＡ−Ａ′断面図及びＢ−Ｂ′要部断面図である。
【００３０】
図示するように、本実施形態の光コネクタプラグ１０は、ＳＣ型の光コネクタアダプタに嵌合するプラグハウジング２０と、プラグハウジング２０内に軸方向に移動自在に保持されたプラグフレーム３０と、光接続を行う光ファイバを保持すると共にプラグフレーム３０の後方から挿入されるフェルール４０と、先端部がプラグフレーム３０の後端部と係合するストップリング５０と、フェルール４０とストップリング５０との間に保持されてフェルール４０を軸方向先端側に向かって付勢する付勢ばね６０と、プラグハウジング２０に設けられてフェルール４０の先端面を遮蔽する遮蔽板７０及び動作板８０を有する遮蔽板組立体１００とを具備する。
【００３１】
フェルール４０は、外径が２．５ｍｍで形成されたフェルール用筒状体４１と、フェルール用筒状体４１の一端部に嵌合されたつば部材４２とから構成されている。
【００３２】
フェルール用筒状体４１は、略円筒形状を有し、その内部には軸方向に貫通して光ファイバを挿入保持する光ファイバ挿入孔４１ａが設けられている。この光ファイバ挿入孔４１ａの後端部には、内径が開口側に向かって漸大するテーパ部４１ｂが設けられており、テーパ部４１ｂによって光ファイバ挿入孔４１ａに光ファイバを挿入する際に、光ファイバの先端がフェルール用筒状体４１の端面に接触することで欠けたり、折れたりするのを防止することができる。
【００３３】
なお、このようなフェルール用筒状体４１としては、例えば、ジルコニア等のセラミックス材料、プラスチック材料及び結晶化ガラス、ホウケイ酸ガラス、石英等のガラス材料等を挙げることができる。
【００３４】
また、フェルール用筒状体４１の後端部に嵌合するつば部材４２には、軸方向に亘って光ファイバの外周に被覆を施した光ファイバ心線を挿入保持する光ファイバ心線挿入孔４２ａと、外周の円周方向に亘って半径方向に所定量突出するように設けられたつば部４３とが設けられている。
【００３５】
つば部４３の外周には、円周方向に９０度間隔で４箇所、軸方向に亘って同等の幅でキー溝４４が設けられており、このキー溝４４が詳しくは後述するプラグフレーム３０のキー溝用突起３２ａに係合することで、フェルール４０は、プラグフレーム３０に対して軸を中心とした回転方向の移動が規制されている。
【００３６】
なお、このようなキー溝４４の数、位置、深さ及び形状等は特に限定されず、フェルール４０を位置決めさせるプラグフレーム３０に応じて適宜決定すればよい。
【００３７】
また、つば部材４２の材質としては、特に限定されず、例えば、ステンレス鋼、真鍮、鉄等の金属材料やプラスチック等の樹脂材料等を挙げることができる。本実施形態では、つば部材４２をステンレス鋼で形成した。
【００３８】
プラグフレーム３０は、中空の四角柱形状を有し、長手方向に亘って貫通したフェルール４０及び付勢ばね６０を挿入可能なフェルール挿入孔３１が設けられている。このフェルール挿入孔３１には、フェルール用筒状体４１の先端部のみを突出させるように、フェルール用筒状体４１の外径よりも大径で、且つつば部４３よりも小径の内径を有するフェルール突出孔３２が設けられている。
【００３９】
また、フェルール挿入孔３１内には、フェルール４０のキー溝４４と係合するキー溝用突起３２ａが半径方向内側に突出するように２つ設けられている。さらに、プラグフレーム３０には、図１（ｂ）及び図２（ｂ）、（ｃ）に示すように、フェルール挿入孔３１と連通して外周に開口する係合孔３３が２つ形成されている。この係合孔３３に、詳しくは後述するストップリング５０の外周に設けられた係合突起５４が係合することで、プラグフレーム３０とストップリング５０とが係合している。
【００４０】
さらに、プラグフレーム３０の外周の対向する２面には、第２の規制突部３４が一対設けられており、プラグフレーム３０がプラグハウジング２０内に保持された際に、プラグフレーム３０は、第２の規制突部３４によってプラグフレーム３０に対して軸方向の後端部側への移動が規制された状態で保持される。
【００４１】
また、プラグフレーム３０の第２の規制突部３４より先端側の外周には、先端面から所定量突出するように板形状を有する一対の押圧部３５が設けられている。
【００４２】
また、プラグフレーム３０の押圧部３５の基端部側には、光コネクタアダプタの係合爪に係合されて光コネクタプラグ１０と光コネクタアダプタとを接続した状態で保持させる溝状の係合部３６が設けられている。
【００４３】
このような押圧部３５は、詳しくは後述するが、光コネクタプラグ１０を光コネクタアダプタに接続する際に、先端部でプラグハウジング２０と光コネクタアダプタの係合爪との当接状態を解除して、係合爪と係合部３６とを係合させるものである。
【００４４】
また、プラグフレーム３０の係合孔３３が設けられた面とは交差する２面には、後端部から軸方向に向かって所定の長さで切り欠けられた切り欠き部３７が設けられている。この切り欠き部３７は、プラグフレーム３０を弾性変形させてプラグフレーム３０の後端部にストップリング５０を係合させることができる。また、この切り欠き部３７にストップリング５０の位置決め突起５５が係合することで、ストップリング５０とプラグフレーム３０との軸を中心とした回転方向の位置決めが行われると共に、ストップリング５０の係合突起５４とプラグフレーム３０の係合孔３３とを位置決めして係合させることができる。
【００４５】
ストップリング５０は、プラグフレーム３０の後端部に嵌合し、光ファイバ心線を挿通可能な貫通した光ファイバ心線挿通孔５１を有する円筒形状の金属材料又はプラスチック等の樹脂材料で形成されている。この光ファイバ心線挿通孔５１の先端側には、付勢ばね６０を挿入可能な連通孔５２が設けられており、光ファイバ心線挿通孔５１と連通孔５２との内径差によって段差部５３が設けられている。
【００４６】
この連通孔５２に付勢ばね６０が保持され、付勢ばね６０にはフェルール４０のつば部材４２の後端部側が挿入されるようになっている。そして、付勢ばね６０の一端がつば部４３の後端面に当接すると共に他端がストップリング５０の段差部５３に当接することで、フェルール４０はプラグフレーム３０に対して先端側に付勢された状態で、つば部４３の先端面がフェルール突出孔３２に当接することで、先端側への移動が規制された状態で付勢保持されている。このとき、プラグフレーム３０の先端面から突出したフェルール４０の先端面の突出量は、本実施形態では、１．６５〜２．２０ｍｍである。
【００４７】
また、フェルール４０は、上述のようにつば部４３のキー溝４４がフェルール挿入孔３１のキー溝用突起３２ａに係合することで、軸を中心とした回転方向の移動が規制された状態で保持されている。
【００４８】
また、図２（ｂ）に示すように、ストップリング５０の先端部側外周には、プラグフレーム３０の係合孔３３内に突出する２つの係合突起５４が対向する位置に形成されている。この係合突起５４は、先端に向かって外径が漸小するテーパ状の外周面を有し、プラグフレーム３０の係合孔３３に係合することで固定されている。
【００４９】
さらに、図１（ｂ）に示すように、ストップリング５０の外周には、プラグフレーム３０に保持された際に、切り欠き部３７内に突出する位置決め突起５５が設けられている。プラグフレーム３０とストップリング５０とを組み立てる際に、位置決め突起５５がプラグフレーム３０の切り欠き部３７内に後端部側から挿入されることで、ストップリング５０の軸を中心とした回転方向の位置決めが行われている。また、位置決め突起５５と切り欠き部３７とが係合することで、プラグフレーム３０に対してストップリング５０が回転するのを防止して、係合突起５４と係合孔３３との係合が解除されるのを防止している。
【００５０】
さらに、ストップリング５０の後端部には、光ファイバの外周に被覆を施した光ファイバ心線に、さらに外周に被覆を施した光ファイバケーブルが保持されるブーツ５６が嵌合されている。このブーツ５６は、ゴム等の弾性材料や、プラスチック等の樹脂材料で形成されている。なお、ブーツ５６は、詳しくは後述するが、プラグフレーム３０をプラグハウジング２０内で移動させる際に把持されるため、把持し易い材料を適宜選択すればよい。
【００５１】
一方、図２（ｂ）、（ｃ）に示すように、プラグハウジング２０は、中空の四角柱形状を有し、フェルール４０を保持したプラグフレーム３０を軸方向に移動自在に保持するプラグフレーム保持孔２１が軸方向に亘って設けられている。
【００５２】
また、プラグハウジング２０の後端部側には、プラグフレーム保持孔２１内に突出して後端部側に傾斜面の設けられた第１の規制突部２２が設けられており、この第１の規制突部２２がプラグフレーム３０の外周に設けられた第２の規制突部３４に係合することで、プラグフレーム３０は、プラグハウジング２０内に軸方向後端部側への移動が規制された状態で保持されている。
【００５３】
また、プラグハウジング２０のプラグフレーム保持孔２１の一方面には、遮蔽板７０の先端部が当接する凹部２３が設けられている。この凹部２３は、先端側がプラグハウジング２０の先端側に向かって深さが漸小する曲面で形成され、後端側はプラグフレーム保持孔２１の内面との間で段差を形成する停止面２３ａで形成されている。そして、遮蔽板７０は、詳しくは後述するが、プラグフレーム保持孔２１内で傾斜した際に、遮蔽板７０の先端部が凹部２３の停止面２３ａに当接することによって、傾斜した状態で位置決めされる。
【００５４】
また、プラグハウジング２０のプラグフレーム３０の一対の押圧部３５に対応する領域には、プラグフレーム保持孔２１と外部とを連通する連通孔２４がそれぞれ設けられており、この連通孔２４を介して、光コネクタアダプタの係合爪とプラグフレーム３０の係合部３６とが係合するようになっている。
【００５５】
また、プラグハウジング２０には、連通孔２４を形成することによって、先端側に残留した柱部２５が２つ形成されている。この柱部２５は、プラグハウジング２０内にプラグフレーム３０を保持させた際に、プラグフレーム３０の押圧部３５よりも内側となる位置に設けられており、プラグフレーム３０の端面３８が、柱部２５に当接することによって、プラグフレーム３０はプラグハウジング２０に対して先端側への移動が規制された状態で保持される。
【００５６】
すなわち、プラグフレーム３０は、プラグハウジング２０の第１の規制突部２２と柱部２５との間で軸方向に所定量だけ移動自在に保持されている。
【００５７】
そして、本実施形態では、プラグフレーム３０がプラグハウジング２０の先端部側に移動した位置で光コネクタプラグ１０が他の光コネクタプラグと光コネクタアダプタを介して光接続されるため、この光コネクタプラグ１０が光接続されるプラグフレーム３０のプラグハウジング２０に対する位置を光接続位置とした。また、逆に、プラグフレーム３０がプラグハウジング２０の後端部側に移動し、光接続されないプラグフレーム３０のプラグハウジング２０に対する位置を、詳しくは後述する遮蔽板７０によってフェルール４０の先端面が遮蔽される収納位置とした。
【００５８】
また、プラグハウジング２０の柱部２５の両側には、外側に突出した当接用突起部２６が設けられてる。この当接用突起部２６の先端側には、段差状の当接部２７が設けられている。この当接部２７は、詳しくは後述するが、光コネクタプラグ１０を光コネクタアダプタに挿入した際に、光コネクタアダプタの係合爪を当接させて、係合爪が当接用突起部２６を乗り越えるのを防止するためのものである。
【００５９】
また、当接用突起部２６の後端面は、プラグハウジング２０の後端部側に向かって傾斜した係合解除部２８となっている。この係合解除部２８は、光コネクタアダプタの係合爪とプラグフレーム３０の係合部３６とを係合させた状態からプラグハウジング２０を引き抜くことで、プラグハウジング２０をプラグフレーム３０に対して移動させて、係合解除部２８によって係合爪を押し広げて、係合爪と係合部３６との係合状態を解除し、光コネクタアダプタから光コネクタプラグ１０を引き抜くためのものである。
【００６０】
さらに、図１及び図２（ｃ）に示すように、プラグハウジング２０の連通孔２４が設けられていない相対向する面の一方側の外周には、プラグハウジング２０を光コネクタアダプタに接続した際に、光コネクタアダプタに対して軸を中心とした回転方向の位置決めを行う突出したキー２０ａが設けられている。
【００６１】
また、プラグハウジング２０のキー２０ａとは反対側には、プラグフレーム保持孔２１と外部とを連通する固定孔２９が設けられている。この固定孔２９に、遮蔽板組立体１００が固定されている。
【００６２】
なお、上述したプラグハウジング２０の当接用突起部２６の一方は、プラグハウジング２０のキー２０ａ側に設けられ、他方は、固定孔２９に固定される遮蔽板組立体１００に設けられている。
【００６３】
ここで、プラグハウジング２０の固定孔２９に固定される遮蔽板組立体１００について説明する。なお、図３は、遮蔽板組立体の断面図であり、図４は、遮蔽板組立体の分解斜視図である。
【００６４】
図示するように、遮蔽板組立体１００は、遮蔽板枠１０１と、遮蔽板枠１０１に回転自在に保持された遮蔽板７０及び動作板８０と、遮蔽板７０がフェルール４０の先端面に対向する位置まで傾斜する遮蔽位置となるように、遮蔽板７０及び動作板８０を位置決め付勢する付勢保持手段９０とで構成されている。
【００６５】
遮蔽板枠１０１は、板形状を有し、遮蔽板７０及び動作板８０が非遮蔽位置となった際に、遮蔽板７０及び動作板８０がプラグフレーム３０の移動を規制しないように、遮蔽板７０及び動作板８０が収容される収容部１０２が設けられている。この収容部１０２は、両側に比べて厚みを薄くすることで形成されている。また、遮蔽板枠１０１の収容部１０２よりも厚く形成された両側は、遮蔽板７０及び動作板８０を傾斜自在に保持すると共に遮蔽板枠１０１自体の剛性を高めるための枠部１０１ａとなっている。また、遮蔽板枠１０１の枠部１０１ａには、上述のように当接用突起部２６、当接部２７及び係合解除部２８が設けられている。
【００６６】
なお、遮蔽板枠１０１は、プラスチック等の樹脂を成形することにより形成することができる。このように遮蔽板枠１０１を樹脂で成形することで、遮蔽板枠１０１を高精度に且つ低コストで容易に大量生産することができる。
【００６７】
遮蔽板７０は、板状部材からなり、先端側が幅狭に形成されている。また、遮蔽板７０は、基端部が遮蔽板枠１０１の枠部１０１ａの後端部側に遮蔽板軸７１を介して傾斜自在に保持されている。この遮蔽板７０は、先端部が遮蔽板枠１０１の収容部１０２に当接した位置から、プラグハウジング２０の固定孔２９とは反対側の凹部２３に向かって遮蔽板軸７１を中心として回転するように設けられている。また、遮蔽板７０の幅狭に形成された先端部がプラグハウジング２０の凹部２３側に移動した際に、所定の傾斜角度で先端部がプラグフレーム保持孔２１の凹部２３の停止面２３ａに当接する長さで形成されている。
【００６８】
そして、遮蔽板７０は、幅狭の先端部がプラグフレーム保持孔２１の凹部２３の停止面２３ａに当接して、プラグフレーム保持孔２１を塞ぎ、フェルール４０の先端面を遮蔽する遮蔽位置から、先端部が遮蔽板枠１０１の収容部１０２に当接して、プラグフレーム３０の移動を許容する非遮蔽位置とに傾斜するようになっている。このとき、本実施形態の遮蔽板７０は、先端部だけ、幅狭に形成され、この先端部がプラグハウジング２０の凹部２３に突出するように設けられているため、遮蔽板７０は、図２（ａ）に示すように、プラグフレーム保持孔２１のほぼ全てを塞ぎ、光コネクタプラグ１０から光が漏れるのを確実に防止することができる。
【００６９】
なお、遮蔽板７０の材料としては、耐久性がある材料であれば、特に限定されず、例えば、ステンレス鋼等の金属材料やプラスチック等の樹脂材料等を挙げることができる。本実施形態では、遮蔽板７０をステンレス鋼で形成した。
【００７０】
動作板８０は、板状の板部８２と、板部８２の両側に先端が突出して設けられた一対の動作板枠部８３とで構成されている。動作板枠部８３は、板部８２よりも厚く形成されており、動作板８０自体の剛性を高めている。
【００７１】
また、動作板８０は、基端部に動作板軸８１が一体的に設けられており、遮蔽板枠１０１の枠部１０１ａに動作板軸８１を介して傾斜自在に保持されている。
【００７２】
このような動作板８０は、動作板枠部８３の先端が遮蔽板７０に当接し、遮蔽板７０と共に遮蔽位置及び非遮蔽位置に傾斜するように設けられている。
【００７３】
また、動作板８０は、図３に示すように、基端部側の面が傾斜した規制面８４となっており、動作板８０が遮蔽板７０と共に遮蔽位置に傾斜した際に、規制面８４が遮蔽板枠１０１の収容部１０２により形成された段差１０３に当接することで、動作板８０のフェルール４０側への移動が規制されている。すなわち、動作板８０がフェルール４０側へ傾斜すると、動作板８０がフェルール用筒状体４１の先端面に当接し、フェルール用筒状体４１の先端面に傷を付けてしまい、光コネクタプラグ１０同士を光接続させた際に、光損失などの不具合が生じてしまう。しかしながら、本実施形態では、動作板８０の規制面８４が遮蔽板枠１０１の段差１０３に当接することで、動作板８０のフェルール４０側への傾斜が規制されるため、動作板８０がフェルール用筒状体４１の先端面に当接するのを防止して、フェルール用筒状体４１の先端面に傷が付くのを防止することができる。
【００７４】
なお、動作板８０としては、本実施形態では、プラスチック等の樹脂材料を成形することにより形成することができる。このように動作板８０を樹脂材料で成形することで、動作板８０を高精度に且つ低コストで容易に大量生産することができる。また、動作板８０は、樹脂材料に限定されず、例えば、ステンレス鋼等の金属材料を用いることができる。また、動作板８０の動作板枠部８３は、長手方向に亘って面取りされており、これにより、動作板８０が遮蔽板７０と共に収容部１０２に収容された際に、プラグフレーム３０に当接するのを防止して、プラグフレーム３０が光接続位置に移動するのを許容している。
【００７５】
このような遮蔽板７０及び動作板８０を有する遮蔽板組立体１００は、遮蔽板７０及び動作板８０が遮蔽位置でフェルール４０及びプラグフレーム３０に干渉しない位置で、且つ光コネクタプラグ１０を光コネクタアダプタに接続した際に光コネクタアダプタ内の割スリーブ等の部材に当接して遮蔽板７０が破壊されない位置に適宜設けられている。また、本実施形態の動作板８０は、動作板枠部８３が板部８２よりも先端側に突出して設けられているため、動作板８０をフェルール用筒状体４１近傍に設けたとしても、動作板８０が遮蔽板７０と共に遮蔽位置に移動した際に、板部８２がフェルール用筒状体４１の先端面に当接することがない。すなわち、本実施形態の動作板８０は、フェルール用筒状体４１近傍に設けることができ、光コネクタプラグ１０が長くなるのを防止することできる。
【００７６】
付勢保持手段９０は、遮蔽板７０が遮蔽位置となるように、遮蔽板７０及び動作板８０を付勢して位置決めするものである。詳しくは、本実施形態の付勢保持手段９０は、遮蔽板枠１０１の遮蔽板７０より先端部側に付勢用軸９１を介して設けられたスプリングからなり、一端が遮蔽板７０に当接し、他端が遮蔽板枠１０１の収容部１０２に当接して、遮蔽板７０を非遮蔽位置から遮蔽位置に付勢するものである。
【００７７】
このような遮蔽板枠１０１、遮蔽板７０、動作板８０及び付勢保持手段９０を予め組み立てることで遮蔽板組立体１００を形成することができる。そして、予め組み立てた遮蔽板組立体１００をプラグハウジング２０の固定孔２９にはめ込み、接着剤による接着又は溶着などにより固定することができる。このように遮蔽板枠１０１、遮蔽板７０、動作板８０及び付勢保持手段９０を予め組み立てた遮蔽板組立体１００をプラグハウジング２０に固定することによって、組み立て作業の作業性を向上することができ、組立時間を短縮することができると共に組立コストを低減することができる。
【００７８】
このような構成の光コネクタプラグ１０では、図２に示すように、プラグフレーム３０をプラグハウジング２０の後端部側、すなわち収納位置に移動することで、遮蔽板７０は、付勢保持手段９０によって遮蔽位置まで付勢されて傾斜する。これにより、遮蔽板７０は、フェルール４０の先端面を遮蔽して光コネクタプラグ１０の先端から光が照射されないようにしている。また、このとき動作板８０も付勢保持手段９０によって遮蔽板７０を介して付勢されて、先端部が遮蔽板７０に当接した状態となる。
【００７９】
また、詳しくは後述するが、図８に示すように、プラグフレーム３０をプラグハウジングの先端側、すなわち光接続位置に移動することで、プラグフレーム３０の先端縁部が動作板８０に当接し、動作板８０を傾斜させると共に、傾斜させた動作板８０の先端が遮蔽板７０を付勢保持手段９０の付勢力に抗して押圧することで、遮蔽板７０を収容部１０２内に収容した非遮蔽位置まで傾斜する。これにより、フェルール４０の先端面を遮蔽せず、露出させた状態とする。そして、このようなプラグフレーム３０の収納位置から光接続位置への移動は、プラグフレーム３０を把持して光コネクタアダプタに挿入するだけで行うことができる。
【００８０】
ここで、光コネクタプラグ１０が接続される光コネクタアダプタについて説明する。なお、図５は、光コネクタアダプタの一部を切り欠いた分解斜視図である。
【００８１】
図５に示すように、本発明の光コネクタプラグ１０が接続される光コネクタアダプタ１１０はＳＣ型であり、光接続用スリーブ１２０と、光接続用スリーブ１２０を内部に挟持するスリーブホルダ１３０及びハウジング１４０からなる保持部材１５０とを具備する。
【００８２】
光接続用スリーブ１２０は、金属又はセラミックで形成された円筒形状を有し、軸方向に亘って貫通したスリット１２１が設けられている。この光接続用スリーブ１２０は、光ファイバを保持する光コネクタプラグ１０のフェルール用筒状体４１の外径よりも若干小さな内径で形成されており、スリット１２１によって弾性変形することにより、フェルール用筒状体４１を内面に密着させて保持して対向接続させるようになっている。本実施形態では、フェルール用筒状体４１が２．５ｍｍであるため、例えば、光接続用スリーブ１２０の内径をφ２．４９５、外径をφ３．０〜３．２ｍｍとなるようにした。
【００８３】
この光接続用スリーブ１２０を保持する保持部材１５０であるスリーブホルダ１３０は、光接続用スリーブ１２０の一端側を保持する第１の貫通孔１３１の設けられた円筒形状を有する第１の保持部１３２を具備し、第１の保持部１３２の長手方向一端には、光接続用スリーブ１２０の一端部を係止する第１のストッパ突起１３３が径方向内側に突出して設けられている。
【００８４】
また、第１の保持部１３２の第１のストッパ突起１３３とは反対側の他端部の外周には、矩形状の第１のフランジ部１３４が設けられている。
【００８５】
この第１のフランジ部１３４の両短辺側には、第１の保持部１３２及び後述するハウジング１４０の第２の保持部１４５を挟むように設けられ且つ先端に係止爪１３５ａを有する係合爪１３５がそれぞれ一対ずつ設けられている。これら係合爪１３５は、光コネクタプラグ１０のプラグフレーム３０の係合部３６に係合して光コネクタプラグ１０と光コネクタアダプタ１１０との結合を行うためのものである。また、第１のフランジ部１３４の短辺側端部には、それぞれ一対の係止突起１３７が設けられている。
【００８６】
一方、保持部材１５０のハウジング１４０は、スリーブホルダ１３０を内部に保持する貫通孔である貫通部１４１を有し、貫通部１４１の両短辺側には、スリーブホルダ１３０の第１のフランジ部１３４の端部と嵌合する溝部１４３が設けられている。また、貫通部１４１内の軸方向中央部から第１のフランジ部１３４の挿入方向とは反対側には、第１のフランジ部１３４と面同士を当接させる第２のフランジ部１４４と、この第２のフランジ部１４４から軸方向に延設されて第１の貫通孔１３１と連通して光接続用スリーブ１２０の他端部側を保持する第２の貫通孔１４２の設けられた円筒形状を有する第２の保持部１４５とが設けられており、第２の保持部１４５の端部には光接続用スリーブ１２０の端部を係止する第２のストッパ突起１４６が径方向内側に突設されている。
【００８７】
一方、ハウジング１４０の短辺側側面の軸方向中央部には固定用フランジ１４８が設けられ、固定用フランジ１４８には、ハウジング１４０を固定するための固定溝１４８ａが設けられている。また、ハウジング１４０の軸方向の一方側の相対向する短辺側側面及びこれらの間の表面には、それぞれを連続するプレート用凹部１４９が形成されており、このプレート用凹部１４９には金属製の係合爪１５２を有するコ字状のプレート１５３が嵌合するようになっている。
【００８８】
以上説明した本実施形態の光コネクタアダプタ１１０を組み立てるには、光接続用スリーブ１２０を第１の保持部１３２と第２の保持部１４５との間に挟んでスリーブホルダ１３０をハウジング１４０内に挿入し、ハウジング１４０に係止ピン１５１を腕部１５１ａがスリーブホルダ１３０の係止突起１３７と係合するように挿入することで、スリーブホルダ１３０とハウジング１４０とを係合させて内部に光接続用スリーブ１２０を挟持することができる。
【００８９】
このような光コネクタアダプタ１１０に光コネクタプラグ１０を接続する動作について詳細に説明する。なお、図６〜図８は、光コネクタの接続動作を示す断面図であり、図６（ｂ）〜図８（ｂ）及び図６（ｃ）〜図８（ｃ）は、それぞれ図６（ａ）〜図８（ａ）のＣ−Ｃ′断面図及びＤ−Ｄ′断面図である。
【００９０】
図６に示すように、光コネクタプラグ１０のプラグフレーム３０が収納位置に位置した状態、すなわち、フェルール４０の先端面が遮蔽板７０によって遮蔽された状態でプラグフレーム３０を把持して光コネクタアダプタ１１０の貫通部１４１に挿入する。このとき、図６（ｂ）及び（ｃ）に示すように、光コネクタプラグ１０のプラグハウジング２０の当接部２７が、光コネクタアダプタ１１０の係合爪１３５の先端に当接する。
【００９１】
次に、さらにプラグフレーム３０を光コネクタアダプタ１１０側に押し込むと、図７（ｂ）及び（ｃ）に示すように、プラグハウジング２０の当接部２７が係合爪１３５に当接しているため、プラグフレーム３０だけが光コネクタアダプタ１１０側に移動する。これにより、図７（ａ）に示すように、プラグフレーム３０の押圧部３５の先端縁部３９が動作板８０を押し倒して、遮蔽板７０をプラグフレーム保持孔２１の一方側に倒れた非遮蔽位置に傾斜させる。このとき、遮蔽板７０及び動作板８０は、遮蔽板枠１０１の収容部１０２に収容され、プラグフレーム３０の光接続位置への移動が許容される。
【００９２】
次に、さらにプラグフレーム３０を光コネクタアダプタ１１０側に押し込むと、プラグフレーム３０の押圧部３５が係合爪１３５を押し広げながら、光コネクタアダプタ１１０側に移動する。このとき、押圧部３５によって係合爪１３５が押し広げられて、係合爪１３５と当接部２７との当接が解除されるため、プラグフレーム３０の先端面がプラグハウジング２０の柱部２５に当接して、プラグフレーム３０と共にプラグハウジング２０が光コネクタアダプタ１１０側に移動する。その結果、係合爪１３５がプラグハウジング２０の当接用突起部２６を乗り越えて、図８（ａ）に示すように、係合爪１３５とプラグフレーム３０の係合部３６とが係合する。すなわち、光コネクタプラグ１０と光コネクタアダプタ１１０とを結合することができる。
【００９３】
また、図示しないが、光コネクタアダプタ１１０の他方側からも同様に光コネクタプラグ１０を接続することで、光コネクタプラグ１０同士を光コネクタアダプタ１１０を介して光接続することができる。
【００９４】
このように、光コネクタプラグ１０は、プラグフレーム３０を把持して、光コネクタアダプタ１１０に接続しようとするだけで、遮蔽板７０を非遮蔽位置まで移動させることができ、フェルール４０の先端面を容易に且つ確実に遮蔽して、光コネクタプラグ１０の先端から光が照射するのを防止することができる。また、プラグフレーム３０を把持して光コネクタアダプタ１１０に押し込むだけで、遮蔽板７０を遮蔽位置及び非遮蔽位置に移動させることができるため、遮蔽板７０を遮蔽位置及び非遮蔽位置に移動させる作業が不要となると共に、光コネクタアダプタ１１０との接続時に光が外部に漏れるのを防止することができ、安全性を高めることができる。
【００９５】
また、本実施形態の光コネクタプラグ１０は、プラグフレーム３０を把持して光コネクタアダプタ１１０に接続しようとするだけで、先に遮蔽板７０を遮蔽位置から非遮蔽位置に移動させた状態で、光コネクタプラグ１０と光コネクタアダプタ１１０とを接続することができるため、遮蔽板７０が遮蔽位置となった状態で先に光コネクタプラグ１０と光コネクタアダプタ１１０とが接続されることがない。すなわち、光コネクタプラグ１０と光コネクタアダプタ１１０とを接続する際に、遮蔽板７０が非遮蔽位置に移動する前に光コネクタアダプタ１１０の係合爪１３５が当接用突起部２６を乗り越えてしまうと、プラグハウジング２０内にスリーブホルダ１３０の第１の保持部１３２が突出し、遮蔽板７０が第１の保持部１３２に当接して、変形や破損が生じてしまう。しかしながら、本実施形態では、先に遮蔽板７０を遮蔽位置から非遮蔽位置まで移動した状態で、後から光コネクタプラグ１０の係合爪１３５が当接用突起部２６を乗り越えて、光コネクタプラグ１０と光コネクタアダプタ１１０とが接続されるため、遮蔽板７０が変形や破損するのを確実に防止することができる。
【００９６】
一方、このような結合状態から光コネクタプラグ１０を取り外すときは、光コネクタプラグ１０のプラグハウジング２０を把持して引き抜くと、プラグハウジング２０がプラグフレーム３０に対して後退し、係合解除部２８によって係合爪１３５を押し広げて、係合爪１３５の係止爪１３５ａと係合部３６との係合を解除する。これにより、光コネクタアダプタ１１０から光コネクタプラグ１０を取り外すことができる。なお、光コネクタアダプタ１１０から光コネクタプラグ１０を抜く際に、プラグハウジング２０の外周を把持して完全に引き抜く直前までの所定量だけ引き抜くことで、係合爪１３５と係合部３６との係合を解除した後、プラグフレーム３０を把持して引き抜くことで、プラグフレーム３０はプラグハウジング２０の収納位置まで後退し、フェルール４０の先端面を遮蔽板７０によって遮蔽した状態で、光コネクタアダプタ１１０から光コネクタプラグ１０を引き抜くことができる。
【００９７】
このように光コネクタプラグ１０は、従来のＳＣ型光コネクタアダプタ１１０に接続できる外形形状であるため、特殊な光コネクタアダプタが必要ではなく、導入コストを低減することができる。さらに、図１に示すように、本実施形態の光コネクタプラグ１０は、フェルール４０、ストップリング５０及び付勢ばね６０を従来のＳＣ型の光コネクタプラグに用いられているものと同じものを採用することができるため、製造コスト及び設備コストを低減することができる。
【００９８】
（実施形態２）
図９は、実施形態２に係る光コネクタプラグの斜視図及び平面図であり、図１０は、図９（ｂ）のＥ−Ｅ′要部断面図及びＦ−Ｆ′要部断面図である。なお、上述した実施形態と同様の部材には同一の符号を付して重複する説明は省略する。
【００９９】
図９及び図１０に示すように、光コネクタプラグ１０Ａには、プラグハウジング２０Ａ内に、上述した実施形態１と同様の、フェルール４０、ストップリング５０及び図示しない付勢ばねが保持されたプラグフレーム３０が移動自在に保持されている。
【０１００】
プラグハウジング２０Ａには、プラグフレーム保持孔２１の一方側に基端部が遮蔽板軸７１及び動作板軸８１Ａによってそれぞれ傾斜自在に保持された遮蔽板７０Ａ及び動作板８０Ａが設けられている。また、プラグハウジング２０Ａには、遮蔽板７０Ａ及び動作板８０Ａを位置決め付勢する付勢保持手段９０Ａが設けられている。
【０１０１】
遮蔽板７０Ａは、板状部材からなり、プラグフレーム保持孔２１内の一方側、本実施形態では、キー２０ａとは反対側に遮蔽板軸７１を介して傾斜自在に保持されている。また、遮蔽板７０Ａは、先端部が遮蔽板軸７１の設けられた一方側で、遮蔽板軸７１よりもプラグハウジング２０Ａの先端側で当接した位置から基端部が保持された一方側とは反対側の面に向かって遮蔽板軸７１を中心として回転するように設けられており、先端部がプラグフレーム保持孔２１の他方側に移動した際に、所定の傾斜角度で先端部がプラグフレーム保持孔２１の内面に当接する長さで形成されている。
【０１０２】
また、動作板８０Ａは、板状部材からなり、遮蔽板７０Ａの基端部と同じプラグフレーム保持孔２１内の一方側に動作板軸８１Ａを介して傾斜自在に保持されている。また、動作板８０Ａは、先端部が遮蔽板７０Ａに当接して、付勢保持手段９０Ａによって遮蔽板７０Ａと共に傾斜するように設けられている。
【０１０３】
このような遮蔽板７０Ａ及び動作板８０Ａは、遮蔽位置でフェルール４０及びプラグフレーム３０に干渉しない位置で、且つ光コネクタプラグ１０を光コネクタアダプタ１１０に接続した際に、光コネクタアダプタ１１０内の第１の保持部１３２等の部材に当接して遮蔽板７０Ａが破壊されない位置に適宜設けられている。
【０１０４】
なお、遮蔽板７０Ａ及び動作板８０Ａは、本実施形態では、ステンレス鋼で形成されている。
【０１０５】
付勢保持手段９０Ａは、動作板８０Ａを遮蔽位置から非遮蔽位置となる方向に付勢する、動作板８０Ａの基端部に設けられたスプリングからなる動作板付勢手段９２と、遮蔽板７０Ａを非遮蔽位置から遮蔽位置となる方向に付勢する、遮蔽板７０Ａの基端部に設けられた遮蔽板付勢手段９３とで構成されている。
【０１０６】
動作板付勢手段９２は、動作板８０Ａを遮蔽状態から非遮蔽状態となる方向に付勢しているため、動作板８０Ａの先端部は、常に遮蔽板７０Ａに当接するようになっている。このため、プラグフレーム３０を収納位置に移動した際に、フェルール４０の先端面に動作板８０Ａが当接して、フェルール４０の先端面及び光ファイバの先端面に傷を付けるのを防止することができる。
【０１０７】
また、遮蔽板付勢手段９３は、遮蔽板７０Ａを非遮蔽位置から遮蔽位置となる方向に動作板付勢手段９２の付勢力に抗して付勢しているため、プラグフレーム３０をプラグハウジング２０Ａの収納位置に移動した際に、遮蔽板７０Ａは、遮蔽板付勢手段９３によって遮蔽位置まで付勢される。これにより、遮蔽板７０Ａは、フェルール４０の先端面を遮蔽して光コネクタプラグ１０Ａの先端から光が照射されないようにしている。
【０１０８】
また、プラグフレーム３０をプラグハウジング２０Ａの光接続位置に移動した際には、プラグフレーム３０の先端縁部３９Ａが動作板８０Ａに当接し、動作板８０Ａを傾斜させると共に、傾斜させた動作板８０Ａの先端が遮蔽板７０Ａを遮蔽板付勢手段９３の付勢力に抗して押圧することで、遮蔽板７０Ａを非遮蔽位置まで傾斜する。
【０１０９】
なお、遮蔽板７０Ａ及び動作板８０Ａが非遮蔽位置となった際に、遮蔽板７０Ａ及び動作板８０Ａがプラグフレーム３０に当接してプラグフレーム３０の移動を規制しないように、プラグハウジング２０Ａのプラグフレーム保持孔２１には、遮蔽板７０Ａ及び動作板８０Ａが非遮蔽位置となった際に遮蔽板７０Ａ及び動作板８０Ａを収容する収容部１０２Ａが設けられている。
【０１１０】
このような構成の光コネクタプラグ１０Ａとしても、上述した実施形態１と同様に、プラグフレーム３０がプラグハウジング２０Ａ内を移動するだけで、遮蔽板７０Ａがフェルール４０の先端面を遮蔽する遮蔽位置と、光コネクタプラグ１０Ａが光接続する際に光接続位置となる非遮蔽位置とに容易に且つ確実に傾斜することができる。これにより、フェルール４０の先端面を遮蔽して、光コネクタプラグ１０Ａの先端から光が照射するのを容易に且つ確実に遮断することができ、光コネクタプラグ１０Ａの安全性を高めることができると共に、光コネクタプラグ１０Ａの光接続を容易に且つ確実に行うことができる。
【０１１１】
また、遮蔽板７０Ａ及び動作板８０Ａは、プラグハウジング２０Ａ内に設けられているため、光コネクタプラグ１０Ａの外形形状が従来のＳＣ型光コネクタプラグと同等の形状とすることができる。このため、光コネクタプラグ１０Ａを従来のＳＣ型光コネクタアダプタに接続することができ、製造コスト及び導入コストを低減することができる。
【０１１２】
さらに、本実施形態の光コネクタプラグ１０Ａでは、プラグハウジング２０Ａの先端側に光コネクタアダプタ１１０の係合爪１３５に当接する当接部２７が設けられ、プラグフレーム３０に当接部２７と係合爪１３５との当接状態を解除する押圧部３５が設けられているため、光コネクタプラグ１０Ａを光コネクタアダプタ１１０に接続する際に、遮蔽板７０Ａ及び動作板８０Ａが遮蔽位置から非遮蔽位置に移動してから、接続することができる。これにより、遮蔽板７０Ａ及び動作板８０Ａが破壊されるのを防止することができる。
【０１１３】
（実施形態３）
図１１は、実施形態３に係る光コネクタプラグの斜視図及び平面図であり、図１２は、図１１（ｂ）のＧ−Ｇ′要部断面図及びＨ−Ｈ′要部断面図である。なお、上述した実施形態と同様の部材には同一の符号を付して重複する説明は省略する。
【０１１４】
図１１及び図１２に示すように、光コネクタプラグ１０Ｂには、プラグハウジング２０Ｂ内に、上述した実施形態１と同様の、フェルール４０、ストップリング５０及び図示しない付勢ばねが保持されたプラグフレーム３０が移動自在に保持されている。
【０１１５】
プラグハウジング２０Ｂには、プラグフレーム保持孔２１の一方側に基端部が遮蔽板軸７１及び動作板軸８１Ａによってそれぞれ傾斜自在に保持された遮蔽板７０Ａ及び動作板８０Ｂが設けられている。
【０１１６】
遮蔽板７０Ａは、上述した実施形態２と同様に、プラグフレーム保持孔２１の基端部が保持された一方側とは反対の他方側に先端部が当接する長さで形成されている。
【０１１７】
また、動作板８０Ｂは、遮蔽板７０Ａよりも幅広に形成され、先端部に遮蔽板７０Ａを挿通する挿通孔８５が設けられている。
【０１１８】
そして、動作板８０Ｂは、遮蔽板７０Ａが遮蔽位置となった際に、挿通孔８５を挿通した遮蔽板７０Ａによって、フェルール４０の先端面側への傾斜が規制されている。このため、本実施形態の付勢保持手段９０Ｂとして、遮蔽板７０Ａの基端部に遮蔽板７０Ａが非遮蔽位置から遮蔽位置に向かって付勢する遮蔽板付勢手段９３のみが設けられている。
【０１１９】
このような構成の光コネクタプラグ１０Ｂとしても、上述した実施形態１及び２と同様の効果を得ることができる。また、本実施形態では、遮蔽板７０Ａ及び動作板８０Ｂを位置決め付勢する付勢保持手段９０Ｂとして、遮蔽板７０Ａに遮蔽板付勢手段９３のみを設ければよいため、製造工程を簡略化することができる。
【０１２０】
なお、本実施形態では、付勢保持手段９０Ｂとして、遮蔽板７０Ａを非遮蔽位置から遮蔽位置に向かって付勢する遮蔽板付勢手段９３のみを設けるようにしたが、特にこれに限定されず、例えば、動作板８０Ｂを非遮蔽位置から遮蔽位置に向かって付勢する動作板付勢手段のみを設けるようにしてもよく、上述した実施形態２と同様に、遮蔽板付勢手段９３と動作板付勢手段９２の両者を設けるようにしてもよい。
【０１２１】
また、本実施形態では、遮蔽板７０Ａを先端部がプラグフレーム保持孔２１の内面に当接する長さとして、遮蔽位置を位置決めするようにしたが、遮蔽板７０Ａは、動作板８０Ｂによって、フェルール４０の先端面側への傾斜が規制されるため、遮蔽板の先端部がプラグフレーム保持孔２１内に当接しない長さとしてもよいが、遮蔽板が非遮蔽位置となった際に、動作板８０Ｂの挿通孔８５から抜き出ない長さとする必要がある。
【０１２２】
（実施形態４）
図１３は、本発明の実施形態４に係る光コネクタプラグの斜視図及び平面図であり、図１４は、図１３（ｂ）のＩ−Ｉ′要部断面図及びＪ−Ｊ′要部断面図である。なお、上述した実施形態と同様の部材には、同一の符号を付して重複する説明は省略する。
【０１２３】
図１３及び図１４に示すように、光コネクタプラグ１０Ｃには、プラグハウジング２０Ｃ内に、上述した実施形態１と同様の、フェルール４０、ストップリング５０及び図示しない付勢ばねが保持されたプラグフレーム３０が移動自在に保持されている。
【０１２４】
プラグハウジング２０Ｃには、プラグフレーム保持孔２１の一方側に基端部が遮蔽板軸７１及び動作板軸８１Ａによってそれぞれ傾斜自在に保持された遮蔽板７０Ｂ及び動作板８０Ｃが設けられている。
【０１２５】
遮蔽板７０Ｂの幅方向両側の対向する領域には、一対の切り欠き部７２が設けられており、切り欠き部７２によって幅狭部７３が設けられている。
【０１２６】
また、動作板８０Ｃは、遮蔽板７０Ｂよりも幅広に形成され、先端部側の略中央部には長さ方向に向かって先端縁部に開口するように切り欠いた差し込み部８６が設けられている。この差し込み部８６は、遮蔽板７０Ｂの幅よりも小さな幅で且つ幅狭部７３よりも若干大きな幅で形成されており、動作板８０Ｃの差し込み部８６に遮蔽板７０Ｂの幅狭部７３が挿入された状態で、遮蔽板７０Ｂと動作板８０Ｃとが係合している。
【０１２７】
そして、このように遮蔽板７０Ｂと動作板８０Ｃとが先端部側で係合しているため、遮蔽板７０Ｂが遮蔽位置となった際に、フェルール４０の先端面側への傾斜が動作板８０Ｃによって規制される。この状態は、遮蔽板７０Ｂの遮蔽板軸７１、動作板８０Ｃの動作板軸８１及び遮蔽板７０Ｂと動作板８０Ｃとが交差した点との３点の所定位置で決定される。
【０１２８】
したがって、遮蔽板７０Ｂを遮蔽位置に位置決めするために、遮蔽板７０Ｂの先端部を基端部が保持されたプラグフレーム保持孔２１の一方側とは反対の他方側に当接するような長さで形成する必要がなくなり、遮蔽板７０Ｂの傾斜中心である遮蔽板軸７１をプラグハウジング２０Ｃの先端部側とすることができる。
【０１２９】
さらに、動作板８０Ｃは、遮蔽板７０Ｂが遮蔽位置となった際に、差し込み部８６に挿通された遮蔽板７０Ｂによって、フェルール４０の先端面側への傾斜が規制されている。このため、本実施形態の付勢保持手段９０Ｂとして、遮蔽板７０Ｂの基端部に遮蔽板７０Ｂが非遮蔽位置から遮蔽位置に向かって付勢する遮蔽板付勢手段９３のみが設けられている。
【０１３０】
このような構成の光コネクタプラグ１０Ｃとしても、上述した実施形態１〜３と同様の効果を得ることができる。
【０１３１】
なお、本実施形態では、付勢保持手段９０Ｂとして、遮蔽板７０Ａを非遮蔽位置から遮蔽位置に向かって付勢する遮蔽板付勢手段９３のみを設けるようにしたが、特にこれに限定されず、例えば、動作板８０Ｂを非遮蔽位置から遮蔽位置に向かって付勢する動作板付勢手段のみを設けるようにしてもよく、上述した実施形態２と同様に、遮蔽板付勢手段９３と動作板付勢手段９２の両者を設けるようにしてもよい。
【０１３２】
（他の実施形態）
以上、本発明の各実施形態を説明したが、本発明の光コネクタプラグ及び光コネクタは、上述したものに限定されるものではない。
【０１３３】
例えば、上述した実施形態１〜４では、ＳＣ型の光コネクタアダプタに係合するＳＣ型の光コネクタプラグ１０〜１０Ｃを例示したが、特にこれに限定されるものではなく、例えば、ＭＵ型の光コネクタプラグ及び光コネクタに本発明を採用しても同様の効果を得ることができる。なお、フェルールの先端面が光ファイバ軸に直交する面に対して傾斜した凸面状に形成された斜めＰＣコネクタにも、本発明を適用することができる。このような斜めＰＣコネクタは、フェルールの先端面が傾斜しているため、フェルールの先端面から照射される照射光の範囲が広くなるが、上述した実施形態１〜４の何れの遮蔽板７０〜７０Ｂであっても、斜めＰＣコネクタのフェルールの先端面を遮蔽することができる。特に、上述した実施形態１及び３の遮蔽板７０、７０Ｂは、実質的に照射光を遮蔽する領域が幅広に形成されるため、より確実に照射光を遮蔽することができる。
【０１３４】
また、上述した実施形態１〜４では、プラグハウジング２０〜２０Ｃのキー２０ａが設けられた面とは反対側のプラグフレーム保持孔２１内に遮蔽板７０〜７０Ｂ及び動作板８０〜８０Ｃを設けるようにしたが、遮蔽板及び動作板を設ける位置はプラグフレーム保持孔２１内であれば特に限定されない。
【０１３５】
さらに、上述した実施形態１〜４では、遮蔽板７０〜７０Ｂ及び動作板８０〜８０Ｃが、遮蔽板軸７１及び動作板軸８１、８１Ａによってプラグハウジング２０Ａ〜２０Ｃ又は 遮蔽板枠１０１に回転自在に保持されるようにしたが、特にこれに限定されず、例えば遮蔽板及び動作板を板バネとして、その基端部を遮蔽板枠１０１又はプラグハウジング２０Ａ〜２０Ｃに固定することで、プラグフレーム保持孔２１内で傾斜自在としてもよい。このような場合、遮蔽板及び動作板自体が付勢保持手段として作用するため、別途付勢保持手段を設ける必要がない。
【図面の簡単な説明】
【０１３６】
【図１】本発明の実施形態１に係る光コネクタプラグの斜視図及び分解斜視図である。
【図２】本発明の実施形態１に係る光コネクタプラグの平面図及びその要部断面図である。
【図３】本発明の実施形態１に係る遮蔽板組立体の断面図である。
【図４】本発明の実施形態１に係る遮蔽板組立体の分解斜視図である。
【図５】本発明の実施形態１に係る光コネクタアダプタの一部を切り欠いた分解斜視図である。
【図６】本発明の実施形態１に係る光コネクタプラグと光コネクタアダプタとの接続動作を示す断面図である。
【図７】本発明の実施形態１に係る光コネクタプラグと光コネクタアダプタとの接続動作を示す断面図である。
【図８】本発明の実施形態１に係る光コネクタプラグと光コネクタアダプタとの接続動作を示す断面図である。
【図９】本発明の実施形態２に係る光コネクタプラグの斜視図及び平面図である。
【図１０】本発明の実施形態２に係る光コネクタプラグの要部断面図である。
【図１１】本発明の実施形態３に係る光コネクタプラグの斜視図及び平面図である。
【図１２】本発明の実施形態３に係る光コネクタプラグの要部断面図である。
【図１３】本発明の実施形態４に係る光コネクタプラグの斜視図及び平面図である。
【図１４】本発明の実施形態４に係る光コネクタプラグの要部断面図である。
【符号の説明】
【０１３７】
１０、１０Ａ、１０Ｂ、１０Ｃ  光コネクタプラグ
２０、２０Ａ、２０Ｂ、２０Ｃ  プラグハウジング
２１  プラグフレーム保持孔
３０  プラグフレーム
４０  フェルール
４１  フェルール用筒状体
４２  つば部材
５０  ストップリング
６０  付勢ばね
７０、７０Ａ、７０Ｂ  遮蔽板
８０、８０Ａ、８０Ｂ、８０Ｃ  動作板
９０、９０Ａ、９０Ｂ  付勢保持手段
９２  動作板付勢手段
９３  遮蔽板付勢手段
１００  遮蔽板組立体
１０１  遮蔽板枠
【図１】
2005189840.tif 000003
【図２】
2005189840.tif 000004
【図３】
2005189840.tif 000005
【図４】
2005189840.tif 000006
【図５】
2005189840.tif 000007
【図６】
2005189840.tif 000008
【図７】
2005189840.tif 000009
【図８】
2005189840.tif 000010
【図９】
2005189840.tif 000011
【図１０】
2005189840.tif 000012
【図１１】
2005189840.tif 000013
【図１２】
2005189840.tif 000014
【図１３】
2005189840.tif 000015
【図１４】
2005189840.tif 000016